(57)【特許請求の範囲】
【請求項１】
本体ケース（１）が、モータ（２０）および電池（２１）等の電装品を収容する第１ケース（１０）と、第１ケース（１０）にねじ（３２）で締結固定されて、モータ（２０）の出力軸（３６）に装着した回転駆動体（３９）を収容する第２ケース（１１）とを含み、
モータ（２０）の出力軸（３６）が、第１ケース（１０）の上部端壁（９）に通設した動力通口（３５）を介して第２ケース（１１）の側へ突設されており、
モータ（２０）の出力軸（３６）と動力通口（３５）との間の隙間を第１シール体（３７）で水密状に封止しており、
第１ケース（１０）の上部端壁（９）に通設した先のねじ（３２）用のねじ通口（３４）に連なる水浸入経路が、第２シール体（３８）で水密状に封止してあり、
かみそりヘッド（２）が第２ケース（１１）に設けた左右一対の側枠（２７）で首振り自在に支持されており、
かみそりヘッド（２）の内部に、回転駆動体（３９）で往復駆動される内刃（５３）用の振動子（４８）が配置してある水洗式の電気かみそり。
【請求項２】
第１ケース（１０）の内部においてモータ（２０）を支持する内ベース（１９）に、第２ケース（１１）を締結固定するねじ（３２）用のねじボス２３が設けられており、
出力軸（３６）に外嵌装着した第１シール体（３７）のスカート部（３７ａ）が、先のねじ（３２）の締結作用を利用して、第１ケース（１０）の上部端壁（９）と、モータ（２０）ないし内ベース（１９）とで挟持固定してある請求項１記載の水洗式の電気かみそり。
【請求項３】
第２シール体（３８）が、第１ケース（１０）の上部端壁（９）と、第１ケース（１０）の内部においてモータ（２０）を支持する内ベース（１９）との間に挟持固定してある請求項１または２記載の水洗式の電気かみそり。
【請求項４】
第１ケース（１０）の下端の組込口（１３）が底ケース（１２）で閉止してあり、
モータ（２０）、電池（２１）、および回路基板（２２）等が組み付けられる内ベース（１９）の上下に、第２ケース（１１）を締結するねじ（３２）用のねじボス（２３）と、底ケース（１２）を締結するねじ（４３）用のねじボス（２４）とが設けられており、
内ベース（１９）を前者ねじ（３２）で第１ケース（１０）の上端壁（９）の側へ引き寄せて、第１シール体（３７）および第２シール体（３８）がそれぞれ固定保持されており、
底ケース（１２）を後者ねじ（４３）で内ベース（１９）に締結して、底ケース（１２）と第１ケース（１０）との間に第３シール体（４４）が固定保持してある請求項１、２または３記載の水洗式の電気かみそり。
【請求項５】
本体ケース（１）が、モータ（２０）および電池（２１）等の電装品を収容する第１ケース（１０）と、第１ケース（１０）にねじ（３２）で締結固定されて、モータ（２０）の出力軸（３６）に装着した回転駆動体（３９）を収容する第２ケース（１１）とを含み、
モータ（２０）の出力軸（３６）が、第１ケース（１０）の上部端壁（９）に通設した動力通口（３５）を介して第２ケース（１１）の側へ突設されており、
モータ（２０）の出力軸（３６）と動力通口（３５）との間の隙間を第１シール体（３７）で水密状に封止しており、
第１ケース（１０）の上部端壁（９）に、先のねじ（３２）用のねじボス（２３）が設けられ、ねじボス（２３）に設けたねじ穴（２３ａ）が水の浸入を阻止する有底穴で形成してあり、
かみそりヘッド（２）が第２ケース（１１）に設けた左右一対の側枠（２７）で首振り自在に支持されており、
かみそりヘッド（２）の内部に、回転駆動体（３９）で往復駆動される内刃（５３）用の振動子（４８）が配置してある水洗式の電気かみそり。
【請求項６】
第２ケース（１１）の上部にかみそりヘッド（２）が組み付けてある請求項１、２、３、４または５記載の水洗式の電気かみそり。
【発明の詳細な説明】
【０００１】
【発明の属する技術分野】
この発明は、水洗式の電気かみそりに関し、その防水構造を改良したものである。
【０００２】
【従来の技術】
この種の電気かみそりにおいては、モータ、電池、回路基板等の電気部品が収容される電装区画と、内外刃を備えたかみそりヘッドとの間に防水構造を設けて、電装区画内へ洗浄水が浸入するのを防いでいる。例えば、特公昭６０−４１９５８号公報においては、本体ケースにビス止めされる蓋体によって電装区画とかみそりヘッドとを区分し、蓋体と本体ケースとの接合部、ビス回り、さらに蓋体と振動子の駆動軸との間をそれぞれＯリングや成形パッキンでシールしている。若干の構造の差異はあるとしても、往復動型の電気かみそりの殆どは、この種の防水構造を採用している。
【０００３】
内刃、およびその駆動系を内蔵する浮動フレームが上下動自在に支持してある、水洗い可能なロータリ式の電気かみそり（特開平７−１３６３５０号公報）においては、モータの出力軸回りをＯリングでシール、さらに浮動フレームと本体ケースとの間を成形パッキンでシールしている。
【０００４】
【発明が解決しようとする課題】
前者電気かみそりにおいては、高速度で往復駆動される振動子の駆動軸と蓋体との間を成形パッキンでシールするので、長期使用時に成形パッキンが劣化しやすく、シール壁に破れやひび割れを生じて防水機能が損なわれることがある。後者電気かみそりにおける成形パッキンも、浮動フレームの上下振動を受けて同様に劣化しやすい。
【０００５】
この発明の目的は、かみそりヘッドと、電装区画との間の区分構造、および内刃駆動構造等を工夫することにより、電装区画のシール構造を単純化し、とくにモータと内刃駆動構造との間に設けられるシール材を常に静止保持できるようにして、長期使用時のシール材の劣化や位置ずれを解消し、その耐久性を向上することにより水洗式の電気かみそりの信頼性を向上することにある。
【０００６】
【課題を解決するための手段】
この発明の水洗式の電気かみそりにおける本体ケース１は、モータ２０および電池２１等の電装品を収容する第１ケース１０と、第１ケース１０にねじ３２で締結固定されて、モータ２０の出力軸３６に装着した回転駆動体３９を収容する第２ケース１１とを含む。モータ２０の出力軸３６は、第１ケース１０の上部端壁９に通設した動力通口３５を介して第２ケース１１の側へ突設する。モータ２０の出力軸３６と動力通口３５との間の隙間を第１シール体３７で水密状に封止する。第１ケース１０の上部端壁９に通設した先のねじ３２用のねじ通口３４に連なる水浸入経路を、第２シール体３８で水密状に封止する。かみそりヘッド２は第２ケース１１に設けた左右一対の側枠２７で首振り自在に支持する。かみそりヘッド２の内部に、回転駆動体３９で往復駆動される内刃５３用の振動子４８を配置する。
【０００７】
具体的には、第１ケース１０の内部においてモータ２０を支持する内ベース１９に、第２ケース１１を締結固定するねじ３２用のねじボス２３を設ける。出力軸３６に外嵌装着した第１シール体３７のスカート部３７ａを、先のねじ３２の締結作用を利用して、第１ケース１０の上部端壁９と、モータ２０ないし内ベース１９とで挟持固定する。
【０００８】
第２シール体３８は、第１ケース１０の上部端壁９と、第１ケース１０の内部においてモータ２０を支持する内ベース１９との間に挟持固定する。
【０００９】
第１ケース１０の下端の組込口１３を底ケース１２で閉止する。モータ２０、電池２１、および回路基板２２等が組み付けられる内ベース１９の上下に、第２ケース１１を締結するためのねじ３２用のねじボス２３と、底ケース１２を締結するためのねじ４３用のねじボス２４とを設ける。内ベース１９を前者ねじ３２で第１ケース１０の上端壁９の側へ引き寄せて、第１シール体３７および第２シール体３８をそれぞれ固定保持する。底ケース１２を後者ねじ４３で内ベース１９に締結して、底ケース１２と第１ケース１０との間に第３シール体４４を固定保持する。
【００１０】
この発明の別の電気かみそりにおける本体ケース１は、モータ２０および電池２１等の電装品を収容する第１ケース１０と、第１ケース１０にねじ３２で締結固定されて、モータ２０の出力軸３６に装着した回転駆動体３９を収容する第２ケース１１とを含む。モータ２０の出力軸３６は、第１ケース１０の上部端壁９に通設した動力通口３５を介して第２ケース１１の側へ突設する。モータ２０の出力軸３６と動力通口３５との間の隙間を第１シール体３７で水密状に封止する。第１ケース１０の上部端壁９に、先のねじ３２用のねじボス２３を設ける。ねじボス２３に設けたねじ穴２３ａは水の浸入を阻止する有底穴で形成する。かみそりヘッド２は第２ケース１１に設けた左右一対の側枠２７で首振り自在に支持する。かみそりヘッド２の内部に、回転駆動体３９で往復駆動される内刃５３用の振動子４８を配置する。
【００１１】
第２ケース１１の上部にかみそりヘッド２を組み付ける。
【００１２】
【作用および発明の効果】
モータ２０の出力軸３６を、第１ケース１０の上部端壁９に設けた動力通口３５を介して第２ケース１１の側へ突設し、回転する出力軸３６と、動力通口３５との間の隙間を第１シール体３７で封止するので、第１シール体３７は静止状態のままで前記隙間を封止できる。また、ねじ通口３４側の水浸入経路は、ねじ３２の締結作用を利用して各締結部品の間に固定保持される第２シール体３８で封止できる。従って、この発明の電気かみそりによれば、長期使用時の各シール体３７・３８の劣化や位置ずれを一掃して、シール機能を長期にわたって安定して発揮でき、これにより第１ケース１０内への水の浸入に伴う電装品の致命的な故障を阻止して、水洗式の電気かみそりの信頼性を向上できる。
【００１３】
第２ケース１１を固定するねじ３２の締結作用を利用して、第１シール体３７のスカート部３７ａを、例えば第１ケース１０の上部端壁９とモータ２０とで上下に挟持固定すると、電気かみそりに大きな外力が作用する場合にも、第１シール体３７を適正な装着姿勢に維持し続けることができる。さらに、スカート部３７ａを充分に強い力で、しかも均等な締結力で挟持固定できる。従って、例えば第１シール体３７の外周側シール面を、例えば、動力通口３５に単に内嵌密着するような装着形態に比べて、シール機能を長期にわたって安定的に発揮できる。第２シール体３８を、第１ケース１０の上部端壁９と内ベース１９との間に挟持固定するのも、上記と同様に長期にわたって安定的にシール機能を発揮させるためである。
【００１４】
動力通口３５とねじ通口３４とを、第１、第２の各シール体３７・３８で封止するので、従来のシール構造に比べて各シール体３７・３８の組み付けを容易化でき、さらに各シール体３７・３８の形状や構造を単純化して、その製造コストを削減できる点でも有利である。
【００１５】
モータ２０、電池２１、および回路基板２２等を内ベース１９に組み付けて、ユニット部品化し、第１ケース１０に装填した内ベース１９を第２ケース１１と共締め固定し、さらに底ケース１２を内ベース１９にねじ４３で締結して、第１ケース１０の組込口１３を底ケース１２と第３シール体４４とで封止するかみそり構造によれば、定められた手順に従って、各ねじ３２・４３をねじ込み操作するだけで、本体ケース１側の部品組み立てと同時にシール部品を挟持固定でき、組み立てに要する手間およびコストを削減できる。
【００１６】
第２ケース１１を固定するためのねじボス２３を第１ケース１０の上部端壁９に設けておき、そのねじ穴２３ａを有底穴として形成する締結構造によれば、水が第２ケース１１を固定するねじ３２に沿って第１ケース１０内へ浸入するのを確実に阻止できる。従って、この場合には第２シール体３８を省略して、第１ケース１０の防水に要するシール構造を簡素化できるうえ、シール部分が減る分だけ信頼性を向上できる。
【００１７】
第２ケース１１の上部にかみそりヘッド２を配置する電気かみそりによれば、電装品を収容する第１ケース１０とかみそりヘッド２との間に、回転駆動体３９を収容する第２ケース１１が位置することになるので、かみそりヘッド２の内部を水洗いする際に、洗浄水が第１ケース１０にまで到達するのを極力避けることができるうえ、洗い流された毛屑や皮脂等が第１ケース１０の上端壁９に付着し堆積するのを阻止できる。
【００１８】
【実施例】
図１ないし図１５に、この発明に係る水洗式の電気かみそりの実施例を示す。図２において、電気かみそりは、本体ケース１の上部に首振り可能なかみそりヘッド２を備えている。本体ケース１の前面には、モータ起動用のスイッチノブ３が、さらに図８に示すようにケース後面には、きわぞり刃ユニット４と、このユニット４を起伏操作するスライドノブ５とが設けてある。また、本体ケース１の右側外面には、かみそりヘッド２を首振り不能にロックするためのロックノブ６を配置し（図６参照）、他側外面に外刃ホルダー用のロック機構をロック解除操作するための解除ボタン７を配置している。
【００１９】
このように、本体ケース１の前後左右の各外側面に、それぞれ機能が異なる切り換え操作具（スイッチノブ３、スライドノブ５、ロックノブ６、解除ボタン７）を分散配置し、さらにそれぞれの配置高さを上下にずらしておくと、勘違いによる操作間違いをよく防止できるうえ、例えばロックノブ６を操作する際に、反対側面に位置する解除ボタン７を同時に操作してしまうなどの、不必要な切り換え操作が行われるのを確実に阻止できる。各切り換え操作具の隣接距離を、可能な限り大きくするので、使用者は各切り換えで操作具の機能の違いを無意識のうちに、しかも体感的に認識でき、従って各切り換え操作具の選択間違いに伴う操作ミスを防止できる。
【００２０】
かみそりヘッド２の内外やその周辺部を水洗い可能とするために、本体ケース１は、電装品を収容する第１ケース１０と、第１ケース１０の上部に固定される第２ケース１１と第１ケース１０の下端の組込口１３を塞さぐ底ケース１２で構成し、各ケース１０〜１２の接合部分を後述するシール材で封止し、さらにスイッチノブ３の操作系をシール材で封止している。
【００２１】
図３ないし図５に示すように、第１ケース１０は下向きに開口する異形筒状のプラスチック成形品からなり、その上部両側に第２ケース１１を安定支持するための連結部１４を膨出形成し、左右の連結部１４のそれぞれにＵ字状の係合凹部１５を切り欠いている。さらに第１ケース１０の前後壁の上縁中央に突壁１６・１７を設けている。
【００２２】
第１ケース１０の内部には電装品ユニットを組込口１３の側から差し込み装填する。電装品ユニットは、プラスチック成形品からなる内ベース１９を組み付け基体にして、その上部中央に設けたモータケース１９ａ内にモーター２０を組み、下半部の左右に電池（二次電池）２１を組み、電池２１の前面側に制御用の回路基板２２を配置しビスで固定してなる。内ベース１９の上端左右と下端左右には、それぞれケース締結用のねじボス２３・２４が、内ベース１９と一体に成形してある。また、内ベース１９の下端中央には、一対の充電用のコネクターピン２５が突設してある。先のモータケース１９ａも内ベース１９と一体成形してある。回路基板２２には、モータ２０用のスイッチを構成する接触端子が接着固定してある。
【００２３】
図４において第２ケース１１は、台部２６の左右両側の上部にかみそりヘッド２を首振り自在に支持するための一対の側枠２７を立設する。さらに、台部２６の左右両側の下部に、先の係合凹部１５に内嵌する連結片２８を突設し、台部２６の下縁前後中央に、第１ケース１０に設けた突壁１６・１７と嵌合する係合凹部２９・３０を切り欠いている。第２ケース１１を第１ケース１０に組み付けた状態においては、左右の連結片２８が係合凹部１５と係合して、両ケース１０・１１の前後遊動を阻止する。さらに、突壁１６・１７が係合凹部２９・３０と係合して、両ケース１０・１１の左右遊動を阻止する。このように、両ケース１０・１１の接合面を互い違いに係合したうえで、両ケース１０・１１を後述するようにねじ３２で締結固定すると、かみそりヘッド２の首振り時やひげそり時に側枠２７に作用する傾動モーメントに抗して、第２ケース１１を強固にしかもぐらつきなく安定した状態で支持できる。台部２６の下面左右には、ねじ（ビス）３２用の締結座３３が突設してある。
【００２４】
因みに、第１ケース１０はＡＢＳ樹脂を成形素材としているが、片持ち梁状の側枠２７を有する第２ケース１１は、より大きな構造強度が必要となるため、フィラー材としてガラス繊維を３０重量％含む、ポリブチレンテレフタレートで成形してある。図５において、左方の側枠２７の基端部寄りに先に述べた解除ボタン７を配置し、右方の連結片２８にロックノブ６を配置している。
【００２５】
第２ケース１１は、先の締結座３３に挿通したねじ３２を、第１ケース１０内に装填した内ベース１９のねじボス２３にねじ込むことによって、第１ケース１０と一体化される。そのために、第１ケース１０の上部端壁９に、ねじ３２用の一対のねじ通口３４と、モータ２０の出力軸３６を挿通するための動力通口３５とを、それぞれ通設している。これらの通口３４・３５は、以下に説明する第１シール体３７と第２シール体３８とで水密状に封止する。
【００２６】
図１に示すように、ねじ通口３４は、ビス穴部３４ａと、内ベース１９のねじボス２３を受け入れるボス座３４ｂとを有し、Ｏリングからなる第２シール体３８を、ねじボス２３の基端とボス座３４ｂに設けたシール段部との間に配置することによって、水がねじ通口３４を介して第１ケース１０内へ浸入するのを阻止できる。このように、第１ケース１０と第２ケース１１とを２個のねじ３２で締結し、各ねじ通口３４に連なる水浸入経路のそれぞれを、第２シール体３８で個別に封止すると、本体ケースとこれの上面開口を塞ぐ蓋体との接合面を、本体ケースの開口縁に沿って周回配置した１個のＯリング状のシール体で封止する従来の封止構造に比べて、封止領域をねじボス２３の周囲のみに限ることができるので、第２シール体３８をむらなく、しかも適正な締付力で挟持固定し、洗浄水の浸入を確実に阻止できる。動力通口３５はモータ上部の軸受よりひと回り大きな長円状の通口からなり、この通口３５とモータ２０の出力軸３６との間の隙間を第１シール体３７で封止する。
【００２７】
第１シール体３７は、モータ２０の上部周面に被さるスカート部３７ａと、出力軸３６の周面に外接するリップ部３７ｂとを一体に形成した成形パッキンからなり、スカート部３７ａを第１ケース１０の上部端壁９の下面とモータ２０のケース上端壁とで上下に挟持して、動力通口３５から水が浸入するのを阻止している。さらに、スカート部３７ａの下側の筒壁３７ｃをモータ２０とモータケース１９ａとで挟持して、シール機能を安定化している。つまり、両シール体３７・３８は、第２ケース１１を第１ケース１０に固定するねじ３２の締結力を利用して、それぞれ上下に挟持され、各通口３４・３５から水が第１ケース１０内へ入り込むのを阻止している。なお、図７および図８において、第２ケース１１と第１ケース１０との間において、ねじ３２で共締め固定してあるのはきわぞり刃ユニット４用の振動子４８であって、これは出力軸３６に固定した偏心カム（回転駆動体）３９で駆動されて、回転動力を左右横行の往復動作に変換する（図１３参照）。
【００２８】
図５において底ケース１２は、上向きに開口するキャップ状のプラスチック成形品からなり、その内面に、内ベース１９の下側のねじボス２４を受け入れる一対のボス座４１を上向きに突設し、さらに両ボス座４１の間に、コネクターピン２５を収容するソケット凹部４２を有する。底ケース１２は、ボス座４１に挿通したねじ（ビス）４３を、内ベース１９のねじボス２４にねじ込むことによって第１ケース１０と一体化され、両ケース１０・１２の間の接合隙間を、底ケース１２の開口縁に装着した第３シール体４４で封止している。また、ボス座４１のねじ通口と、ソケット凹部４３のピン通口とは、ねじボス２４の基端に配置したＯリング４５と、コネクターピン２５の基端に配置したＯリング４６とで、それぞれ封止している。
【００２９】
モータ動力は、先の偏心カム３９を介してかみそりヘッド２へも伝えられ、その内部に設けた振動子５９で回転動力を左右横行の往復動作に変換した後、内刃５３とセンタートリマ５７に伝えられる。
【００３０】
図９においてかみそりヘッド２は、逆門形のフレーム５０と、フレーム５０にビス止めされる蓋体５１とを取付基体にして、フレーム５０と蓋体５１で囲まれる室内に内刃用の振動子５９と、外刃ホルダー５５用のロック機構とを組み込み、蓋体５１の上面に突出する前後一対の駆動軸５２に、それぞれ内刃５３を分離可能に圧嵌装着している。前後一対の駆動軸５２には、これらと同行移動する駆動ピース５４が外嵌固定してある。フレーム５０に嵌着される外刃ホルダー５５には、先の内刃５３に対応する前後一対の外刃５６と、先の駆動ピース５４で往復駆動されるセンタートリマ５７とが設けてある。フレーム５０の左右一対の側壁の外面に固定した軸５８を、第２ケース１１の両側枠２７で軸支することにより、かみそりヘッド２の全体が前後方向へ首振り揺動できる。首振り時の動力伝動を可能とするために、先の振動子５９の受動溝は、部分円弧状に湾曲形成してある（図８参照）。
【００３１】
かみそりヘッド２を首振り不能にロックするために、図６に示すように第２ケース１１の一側に上下スライドするロックノブ６とロック棒６１とを設け、ロック棒６１が上方スライドしてフレーム５０のロック凹部６２と係合する状態において、かみそりヘッド２をロック固定できるようにしている。
【００３２】
外刃ホルダー５５は、前後壁と左右側壁とを有する上下面が開口するホルダー枠６５を有し、その内面の前後中央に、先のセンタートリマ５７と、補強枠６６を装着し、ホルダー枠６５の前後壁と補強枠６６（図６参照）とで、前後の外刃５６を断面アーチ形に保形保持している。外刃ホルダー５５をかみそりヘッド２に嵌着した状態において、その前後壁がフレーム５０の前後面に設けた段状に外嵌して前後遊動不能に受け止められ、さらにその左右側壁がフレーム５０の側壁内面で左右遊動不能に受け止められている。この状態の外刃ホルダー５５とフレーム５０との間に、内刃５３で切断された毛屑を収容する毛屑室が区画される（図１０参照）。
【００３３】
外刃ホルダー５５は、かみそりヘッド２に対して、前後方向へ開放揺動可能に連結されていて、水洗い時に内刃５３の外面を大きく開放できるようになっている。そのために、図１０に示すように蓋体５１の後面両側に左右一対のガイド枠７０を一体に成形し、ガイド枠７０で区画した上下に長い溝７１で、ホルダー枠６５の後壁の下端両側に突設した軸体７２を上下スライド自在に案内支持している。図１１においてガイド枠７０の下端寄りには、軸体７２の出し入れを許す連結口７３を設けている。なお、連結口７３の上下隙間は、軸体７２の直径寸法より僅かに小さく設定してある。
【００３４】
上記のように、ホルダー枠６５に設けた軸体７２を溝７１でスライド案内することにより、外刃ホルダー５５は、そのホルダー枠６５が装着部に嵌着され、同時に外刃５６が内刃５３に密接する使用位置（図８の状態）と、外刃ホルダー５５の全体が上方スライドして、装着部および内刃５３から分離した揺動待機位置（図１１に示す状態）と、外刃ホルダー５５が軸体７２を中心にしてかみそり後面側へ反転揺動して内刃５３および毛屑室の前後面を完全に開放する開放位置（図１１に想像線で示す状態）とに変位できる。外刃ホルダー５５を、一旦揺動待機位置まで上方スライドさせるのは、その開放揺動時に、ホルダー枠６５が内刃５３と接当干渉するのを避け、さらにセンタートリマ５７と駆動ピース５４を分離するためである。
【００３５】
フレーム５０に嵌着した外刃ホルダー５５をロック保持するために、図１２に示すロック機構を設けている。ロック機構は、第２ケース１１の一方の側枠２７に装着した解除ボタン７と、フレーム５０内に組み込まれたロックピース７７および左右一対の圧縮コイル形のばね７８とホルダー枠６５の前後壁の内面に設けた係合凹部７９などで構成する。図９においてロックピース７７は、前後中央に設けた横長棒状の芯軸８０と、装着部の前後壁から外面に突出する左右一対ずつのロック体８１と、芯軸８０とロック体８１とを繋ぐ４個のヒンジ部８２とを一体に形成したプラスチック成形品からなり、前後で対を為すロック体８１・８１の間にばね７８を介装して、各ロック体８１・８１を前方および後方へ向かって進出付勢する。芯軸８０の一端は、フレーム５０の一側壁でスライド自在に案内支持されて、その軸端が解除ボタン７に臨んでいる。従って、このボタン７を押し込み操作すると、芯軸８０が図１２において右方へ移動して、各ロック体８１をばね７８の付勢力に抗しながらフレーム内方へ退入操作し、係合凹部７９との係合状態を解除する。
【００３６】
上記のように構成した電気かみそりは、外刃ホルダー５５を開放揺動した状態で水洗い洗浄する。洗浄前に、解除ボタン７を押し込んでロック体８１と係合凹部７９の係合状態を解除する。このロック解除操作によって、外刃ホルダー５５の全体が内刃５３を押し上げ付勢するばねで、数mm上方変位される。この状態のまま、外刃ホルダー５５を溝７１に沿って揺動待機位置まで上方スライドすると、軸体７２が溝７１の上端で受け止められるので、引き続き外刃ホルダー５５をかみそり後方へ反転状に揺動操作することにより、内刃５３の前後面を開放できる。
【００３７】
開放された内刃５３や毛屑室に流水を流し掛けることにより、これらに付着した毛屑や皮脂をきれいに洗い流すことができる。このとき、洗浄水の一部は、第２ケース１１の内部に達する。しかし、第２ケース１１と第１ケース１０との間は、第１シール体３７と第２シール体３８でしっかりと封止してあるので、水が第１ケース１０内へ浸入することはない。さらに、底ケース１２と第１ケース１０との間から、水が第１ケース１０内へ浸入することも防止できる。
【００３８】
不使用時の外刃５６およびセンタートリマ５７を保護するために、外刃ホルダー５５の外面に保護キャップ９０を着脱自在に装着している。図１４および図１５において保護キャップ９０は、ホルダー枠６５の外郭形状に沿う断面逆Ｕ字状の保護壁９１と、保護壁９１の上端両側に張り出した一対の突片９２とを有する透明のプラスチック成形品からなり、ポリカーボネートを成形素材としている。従来の保護キャップの殆どが、かみそりヘッドの全体を覆うキャップ形状であるのに対し、上記の保護キャップ９０は左右端壁が省略されて樋体状に形成してある。しかも、保護キャップ９０の被覆範囲は、外刃ホルダー５５の前後面と外刃５６の上面のみに限られる。従って、保護キャップ９０を外刃ホルダー５５に被せ付けた状態のままで、かみそりヘッド２を前後に揺動操作してみて、首振り可能な状態か、首振りロックの状態かを確認することができる。外刃ホルダー５５をフレーム５０から取り外した状態においても、ホルダー枠６５に対する装着状態を維持して、外刃５６を保護できる。
【００３９】
保護キャップ９０の装着姿勢を維持するために、ホルダー枠６５の前後面のそれぞれに、左右に長い係合リブ９３・９４を突設し、保護壁９１の下端内面のそれぞれに各係合リブ９３・９４に係脱する左右横長の係合溝９５・９６を凹み形成している。図１５に示すように保護キャップ９０を外刃ホルダー５５に装着した状態において、保護壁９１はホルダー枠６５に密着しており、突片９２は第２ケース１１の側枠２７より僅かに側方へ突出している。さらに突片９２の肉厚寸法を保護壁９１より小さくすることにより、突片９２の下面と先の側枠２７の上端との間に隙間が形成されるようにしている。このように、突片９２を側枠２７より外側方へ突出させ、さらにその下面に隙間を確保するのは、突片９２を指掛片にして保護キャップ９０を簡単に取り外すためであるが、次のような意味もある。
【００４０】
突片９２は、かみそりヘッド２の首振り軸である軸５８と第２フレーム１１の側枠２７の上面を覆って、これらに他物が直接接当するのを防ぐ防護壁を兼ねている。とくに、側枠２７はガラス繊維で強化されているため、外力を受けて欠損しやすいが、例えば落下衝撃を突片９２で受け止め、さらに隙間分だけ突片９２が弾性変形することにより、衝撃力が側枠２７に直接作用するのを防止し、あるいは外力を緩和できる。なお、先の軸５８はステンレス鋼材で形成し、フレーム５０、およびホルダー枠６５はそれぞれＡＢＳ樹脂で形成してある。
【００４１】
突片９２を設けることにより、保護キャップ９０を取り外す際の指掛け位置を明確に特定できる。指掛け位置であることをさらに明確に表示するために、突片９２の上面あるいは下面に、記号、絵表示、文字、着色表示等の認識部を、印刷表示や、成形表示によって設けることができる。先に説明したように、突片９２は薄肉に形成してあって、保護壁９１との段部を線状に見透かすことができるが、こうした線状部も上記の認識部に含むこととする。
【００４２】
上記のように、保護キャップ９０は、上端左右の突片９２をつかんで外刃ホルダー５５から取り外すようにするので、保護キャップ９０の着脱を容易に行えるうえ、保護キャップ９０をホルダー枠６５から取り外す際に、外刃ホルダー５５を同時に抜き外してしまうことを防止できる。仮りに、突片９２がないと、保護壁９１の前後外面を挟み付けるようにして保護キャップ９０を抜き外し操作することになる。こうした場合には、保護キャップ９０に作用する抜き外し力が、ホルダー枠６５にも作用する。そのため、使用者の意図とは無関係に、ホルダー枠６５とロックピース７７とのロック係合が強引に解除されて、ホルダー枠６５が外れてしまうことがあるが、こうした事態を回避できる。
【００４３】
保護壁９１の背壁両側には、先に述べたガイド枠７０との接当干渉を避ける切欠９７が形成してあり（図１５参照）、保護キャップ９０を外刃ホルダー５５に装着した状態において、左右の切欠９７はそれぞれガイド枠７０で受け止められて、左右方向への遊動が規制されるようになっている。従って、左右に側端壁を備えていない樋体状の保護キャップ９０であるにもかかわらず、外刃ホルダー５５に装着した状態において、左右にずれ動くことはなく、常に適正な装着状態を維持できる。
【００４４】
以下にこの発明の防水構造の変形実施例を列挙する。なお、各変形実施例においては、主な変更個所のみを説明し、先の実施例と同じ部材には同一符号を付して説明を省略する。図１６および図１７は、第１ケース１０の上部端壁９が、第１ケース１０とは別体に形成してある場合を想定したものであって、図１６においては、上部端壁９を第１ケース１０に対して超音波溶着して両者を一体化した。この場合の溶着面は周回状に連続させて、両者９・１０の接合面から水が浸入するのを防止できるようにする。
【００４５】
図１７においては、第１ケース１０の内面に第２ケース１１を締結するためのねじボス２３を一体に設けておいて、上部端壁９を第２ケース１１と共に第１ケース１０に共締め固定した。この場合の第２シール体３８は、上部端壁９との接合面と同形の周回枠状に形成し、その左右にねじ挿通穴を設けて、上部端壁９とねじボス２３との間に配置した。
【００４６】
先の実施例では、上部端壁９と内ベース１９のねじボス２３との間に第２シール体３８を配置したが、その必要はない。例えば図１８に示すように、第２ケース１１の締結座３３と上部端壁９との接合面の間に第２シール体３８を配置できる。この場合には、ねじ３２と第２ケース１１のねじ挿通穴３３ａとの間にもＯリング状のシール３８ａを配置する。
【００４７】
図１９においては、第２ケース１１を固定するねじ３２用のねじボス２３を、上部端壁９に設け、そのねじ穴２３ａを有底穴で形成することにより、第２シール体３８を省略できるようにした。この場合のモータ２０は、上部端壁９に下面側からねじ込み固定される内ベース１９で支持し、内ベース１９を締結するねじの締結力によって第１シール体３７のスカート部３７ａを、上部端壁９とモータ２０とで挟み保持するようにした。
【００４８】
上部端壁９や内ベース１９に設けるねじボス２３のねじ穴（あるいはねじ下穴）２３ａが上下面で開口する場合には、ねじ穴２３ａの下端をゴムパッキンで閉塞して、あるいはねじ穴２３ａの下端に樹脂片を熱溶着して閉止することができる。
【００４９】
この発明は、往復動型の内刃を備えた電気かみそり以外に、横軸回りに回転する内刃を備えたロータリ式の電気かみそりにも適用できる。この場合の回転駆動体３９は、モータ２０の出力軸３６に固定される初段ギヤを意味する。首振り式ではない電気かみそりにおいては、第２ケース１１の内部に、回転駆動体３９と共に内刃駆動用の振動子５９を収容することができる。
【図面の簡単な説明】
【図１】かみそりヘッドの縦断正面図である。
【図２】電気かみそりの斜視図である。
【図３】本体ケースと本体ケース上部の分解斜視図である。
【図４】電装品ユニットの斜視図である。
【図５】電気かみそりの分解断面図である。
【図６】電気かみそりの中央縦断正面図である。
【図７】内刃駆動構造を示す縦断正面図である。
【図８】電気かみそりの中央縦断側面図である。
【図９】内刃およびきわぞり刃の駆動構造を示す斜視図である。
【図１０】外刃ホルダーを分解した電気かみそりの背面図である。
【図１１】かみそりヘッドの縦断側面図である。
【図１２】外刃ホルダーのロック構造を示す横断平面図である。
【図１３】きわぞり刃の駆動構造を示す横断平面図である。
【図１４】保護キャップを分離した斜視図である。
【図１５】保護キャップを装着した背面図である。
【図１６】防水構造の別実施例を示す断面図である。
【図１７】防水構造の別実施例を示す断面図である。
【図１８】防水構造の別実施例を示す断面図である。
【図１９】防水構造の別実施例を示す断面図である。
【符号の説明】
１  本体ケース
２  かみそりヘッド
１０  第１ケース
１１  第２ケース
１２  底ケース
１９  内ベース
２０  モータ
２３  ねじボス
３２  ねじ
３４  ねじ通口
３５  動力通口
３６  出力軸
３７  第１シール体
３８  第２シール体
３９  回転駆動体
【図１】
0004367674.tif 000002
【図２】
0004367674.tif 000003
【図３】
0004367674.tif 000004
【図４】
0004367674.tif 000005
【図５】
0004367674.tif 000006
【図６】
0004367674.tif 000007
【図７】
0004367674.tif 000008
【図８】
0004367674.tif 000009
【図９】
0004367674.tif 000010
【図１０】
0004367674.tif 000011
【図１１】
0004367674.tif 000012
【図１２】
0004367674.tif 000013
【図１３】
0004367674.tif 000014
【図１４】
0004367674.tif 000015
【図１５】
0004367674.tif 000016
【図１６】
0004367674.tif 000017
【図１７】
0004367674.tif 000018
【図１８】
0004367674.tif 000019
【図１９】
0004367674.tif 000020